(57)【要約】      （修正有）【課題】一対の側面板の上縁が半円形に形成されている包装箱において、ランドセル形状により近似した包装箱組立てキット及び包装箱を提供する。【解決手段】包装箱組立てキット５は、包装箱本体７と肩掛け用シート２００を有し、包装箱本体７は、スリーブ状部９と底面部と蓋部１００とを有し、蓋部１００における差込み片部１３０は、背面部１０の下端の被差込み部１８に差し込まれる。左側面部２０と右側面部３０の上辺は円弧状に形成されている。肩掛け用シート２００には、肩掛け２１０等の一対の肩掛けが切目線２１０Ｋを破断することにより取り出すことができ、肩掛けの両端に設けられた差込み片部を正面部４０に設けられた切込みに差し込むことにより、肩掛けを包装箱本体７に取り付けることができる。【選択図】図４
0003205724.tif 000002
【実用新案登録請求の範囲】
【請求項１】
包装箱組立てキットであって、
包装箱本体（７）と、第１肩掛け（２１０）と、第２肩掛け（２２０）とを有し、
包装箱本体と第１肩掛けと第２肩掛けとは、シート状のブランクにより構成され、
包装箱本体は、底面部（５０）と、底面部の各辺から立設し底面部に対して略直角をなす側面部で、正面部（４０）と、左面部（２０）と、右面部（３０）と、背面部（１０）とを有する側面部（９）と、正面部の上辺から連設された蓋部（１００）とを有し、
左面部の上辺と右面部の上辺は、略円弧状に形成され、
蓋部は、上面カバー部（１１０）と、背面カバー部（１２０）とを有し、
上面カバー部は、正面部の上辺から折れ線を介して連設され、
背面カバー部は、上面カバー部の正面部側とは反対側の辺部から折れ線を介して連設され、背面カバー部の先端には、第１差込み片部（１３０）が設けられ、
背面部の下端には、第１差込み片部を差し込むための第１被差込み部（１８）が設けられ、
第１肩掛けは、第１肩掛けの長手方向の一方の端部である上端に第２差込み片部（２１２）を有するとともに、第１肩掛けの長手方向の他方の端部である下端に第３差込み片部（２１４）を有し、
第２肩掛けは、第２肩掛けの長手方向の一方の端部である上端に第４差込み片部（２２２）を有するとともに、第２肩掛けの長手方向の他方の端部である下端に第５差込み片部（２２４）を有し、
正面部には、第２差込み片部を差し込むための第２被差込み部（４２）と、第３差込み片部を差し込むための第３被差込み部（４６）と、第４差込み片部を差し込むための第４被差込み部（４４）と、第５差込み片部を差し込むための第５被差込み部（４８）とが設けられ、
第２被差込み部と第４被差込み部とは、正面部において左右対称の位置に設けられ、第３被差込み部と第５被差込み部とは、正面部において左右対称の位置に設けられ、第３被差込み部と第５被差込み部は、第２被差込み部と第４被差込み部よりも高さ方向において下側に設けられ、
第１差込み片部が第１被差込み部に差し込まれた状態では、上面カバー部の内側の面が左面部の上辺と右面部の上辺に接して、上面カバー部が、左面部の上辺と右面部の上辺に沿って湾曲し、背面カバー部が背面部に沿った状態となり、
第１肩掛けの第２差込み片部を第２被差込み部に差し込むとともに、第３差込み片部を第３被差込み部に差し込んで、第１肩掛けを正面部に取り付けることにより、第１肩掛けが、正面部の正面側に湾曲して突出した状態となり、第２肩掛けの第４差込み片部を第４被差込み部に差し込むとともに、第５差込み片部を第５被差込み部に差し込んで、第２肩掛けを正面部に取り付けることにより、第２肩掛けが、正面部の正面側に湾曲して突出した状態となって包装箱が組み立てられることを特徴とする包装箱組立てキット。
【請求項２】
上面カバー部には、上面カバー部を湾曲させるための複数の折れ線が間隔を介して左右方向に形成され、
第１肩掛けにおける第２差込み片部と第３差込み片部以外の領域である第１肩掛け本体（２１１）には、第１肩掛け本体を湾曲させるための複数の折れ線が、間隔を介して、第１肩掛けを正面部に取り付けた場合に左右方向となる方向に形成され、
第２肩掛けにおける第４差込み片部と第５差込み片部以外の領域である第２肩掛け本体（２２１）には、第２肩掛け本体を湾曲させるための複数の折れ線が、間隔を介して、第２肩掛けを正面部に取り付けた場合に左右方向となる方向に形成されていることを特徴とする請求項１に記載の包装箱組立てキット。
【請求項３】
第１肩掛けと第２肩掛けは、シート状のブランクにより形成された肩掛け用シートに設けられ、肩掛け用シートには、第１肩掛けの周囲に形成された第１切目線（２１０Ｋ）と第２肩掛けの周囲に形成された第２切目線（２２０Ｋ）が形成され、肩掛け用シートは、第１切目線と第２切目線を介して、第１肩掛けと、第２肩掛けと、第１肩掛け及び第２肩掛け以外の領域である残余部（２３０）とに区画されていることを特徴とする請求項１又は２に記載の包装箱組立てキット。
【請求項４】
肩掛け用シートの外形が互いに平行な長手辺と互いに平行な短手辺とを有する略長方形状を呈し、第１肩掛けの第２差込み片部と第２肩掛けの第４差込み片部とが一方の短手辺側に設けられ、第１肩掛けの第３差込み片部と第２肩掛けの第５差込み片部とが他方の短手辺側に設けられ、
肩掛け用シートには、肩掛け用シートを二つ折りとするための短手辺と平行な折れ線である二つ折り用折れ線（２００−１）が設けられ、
一対の長手辺間の長さ（Ｌ１３）は、正面部の高さ方向の長さ及び背面部の高さ方向の長さ以下に形成され、
二つ折り用折れ線と一方の短手辺間の長さ（Ｌ１１）と二つ折り用折れ線と他方の短手辺間の長さ（Ｌ１２）は、いずれも、正面部における左右方向の長さよりも短いとともに、背面部における左右方向の長さよりも短く、
肩掛け用シートを二つ折り用折れ線を介して二つ折りとし、一対の長手辺のいずれかを下向きにした状態で、肩掛け用シートが包装箱本体内に収納されることを特徴とする請求項３に記載の包装箱組立てキット。
【請求項５】
背面カバー部は、上面カバー部から連設された外背面部（１２２）と、外背面部の上面カバー部とは反対側の辺部から折れ線を介して連設された内背面部（１２４）とを有し、内背面部は、外背面部に対して内側に折り返した状態で外背面部に接着され、第１差込み片部は、外背面部の上面カバー部とは反対側の辺部における内背面部が連設されていない部位から連設されていることを特徴とする請求項１又は２又は３又は４に記載の包装箱組立てキット。
【請求項６】
包装箱組立てキットであって、
包装箱本体（７）と、肩掛け用シート（２００）とを有し、
包装箱本体と肩掛け用シートとは、シート状のブランクにより構成され、
包装箱本体は、底面部（５０）と、底面部の各辺から立設し底面部に対して略直角をなす側面部で、正面部（４０）と、左面部（２０）と、右面部（３０）と、背面部（１０）とを有する側面部（９）と、正面部の上辺から連設された蓋部（１００）とを有し、
左面部の上辺と右面部の上辺は、略円弧状に形成され、
蓋部は、上面カバー部（１１０）と、背面カバー部（１２０）とを有し、
上面カバー部は、正面部の上辺から折れ線を介して連設され、上面カバー部には、上面カバー部を湾曲させるための複数の折れ線が間隔を介して左右方向に形成され、
背面カバー部は、上面カバー部の正面部側とは反対側の辺部から折れ線を介して連設された外背面部（１２２）と、外背面部の上面カバー部とは反対側の辺部から折れ線を介して連設された内背面部（１２４）とを有し、内背面部は、外背面部に対して内側に折り返した状態で外背面部に接着され、外背面部の上面カバー部とは反対側の辺部における内背面部が連設されていない部位から第１差込み片部（１３０）が連設され、
背面部の下端には、第１差込み片部を差し込むための第１被差込み部（１８）が設けられ、
肩掛け用シートは、第１肩掛け（２１０）と、第２肩掛け（２２０）と、第１肩掛け及び第２肩掛け以外の領域である残余部（２３０）とを有し、第１肩掛けと残余部の境界に第１切目線（２１０Ｋ）が形成されるとともに、第２肩掛けと残余部の境界に第２切目線（２２０Ｋ）が形成され、
第１肩掛けは、第１肩掛けの長手方向の一方の端部である上端に第２差込み片部（２１２）を有するとともに、第１肩掛けの長手方向の他方の端部である下端に第３差込み片部（２１４）を有し、第１肩掛けにおける第２差込み片部と第３差込み片部以外の領域である第１肩掛け本体（２１１）には、第１肩掛け本体を湾曲させるための複数の折れ線が、間隔を介して、第１肩掛けを正面部に取り付けた場合に左右方向となる方向に形成され、
第２肩掛けは、第２肩掛けの長手方向の一方の端部である上端に第４差込み片部（２２２）を有するとともに、第２肩掛けの長手方向の他方の端部である下端に第５差込み片部（２２４）を有し、第２肩掛けにおける第４差込み片部と第５差込み片部以外の領域である第２肩掛け本体（２２１）には、第２肩掛け本体を湾曲させるための複数の折れ線が、間隔を介して、第２肩掛けを正面部に取り付けた場合に左右方向となる方向に形成され、
肩掛け用シートの外形が互いに平行な長手辺と互いに平行な短手辺とを有する略長方形状を呈し、第１肩掛けの第２差込み片部と第２肩掛けの第４差込み片部とが一方の短手辺側に設けられ、第１肩掛けの第３差込み片部と第２肩掛けの第５差込み片部とが他方の短手辺側に設けられ、
肩掛け用シートには、肩掛け用シートを二つ折りとするための短手辺と平行な折れ線である二つ折り用折れ線（２００−１）が設けられ、
一対の長手辺間の長さ（Ｌ１３）は、正面部の高さ方向の長さ及び背面部の高さ方向の長さ以下に形成され、
二つ折り用折れ線と一方の短手辺間の長さ（Ｌ１１）と二つ折り用折れ線と他方の短手辺間の長さ（Ｌ１２）は、いずれも、正面部における左右方向の長さよりも短いとともに、背面部における左右方向の長さよりも短く、
肩掛け用シートを二つ折り用折れ線を介して二つ折りとし、一対の長手辺のいずれかを下向きにした状態で、肩掛け用シートが包装箱本体内に収納され、
正面部には、第２差込み片部を差し込むための第２被差込み部（４２）と、第３差込み片部を差し込むための第３被差込み部（４６）と、第４差込み片部を差し込むための第４被差込み部（４４）と、第５差込み片部を差し込むための第５被差込み部（４８）とが設けられ、
第２被差込み部と第４被差込み部とは、正面部において左右対称の位置に設けられ、第３被差込み部と第５被差込み部とは、正面部において左右対称の位置に設けられ、第３被差込み部と第５被差込み部は、第２被差込み部と第４被差込み部よりも高さ方向において下側に設けられ、
第１差込み片部が第１被差込み部に差し込まれた状態では、上面カバー部の内側の面が左面部の上辺と右面部の上辺に接して、上面カバー部が、左面部の上辺と右面部の上辺に沿って湾曲し、背面カバー部が背面部に沿った状態となり、
第１切目線と第２切目線を破断することにより、第１肩掛けと第２肩掛けと残余部とが分離され、第１肩掛けの第２差込み片部を第２被差込み部に差し込むとともに、第３差込み片部を第３被差込み部に差し込んで、第１肩掛けを正面部に取り付けることにより、第１肩掛けが、正面部の正面側に湾曲して突出した状態となり、第２肩掛けの第４差込み片部を第４被差込み部に差し込むとともに、第５差込み片部を第５被差込み部に差し込んで、第２肩掛けを正面部に取り付けることにより、第２肩掛けが、正面部の正面側に湾曲して突出した状態となって包装箱が組み立てられることを特徴とする包装箱組立てキット。
【請求項７】
底面部は、左面部の下辺から連設された第１片部（６０）と、正面部の下辺から連設された第２片部（７０）と、背面部の下辺から連設された第３片部（８０）と、右面部の下辺から連設された第４片部（９０）とにより形成され、側面部における隣接する各部を互いに直角にすることにより底面部が略方形状の外形を有することを特徴とする請求項１又は２又は３又は４又は５又は６に記載の包装箱組立てキット。
【請求項８】
包装箱であって、
包装箱本体（７）と、第１肩掛け（２１０）と、第２肩掛け（２２０）とを有し、
包装箱本体と第１肩掛けと第２肩掛けとは、シート状のブランクにより構成され、
包装箱本体は、底面部（５０）と、底面部の各辺から立設し底面部に対して略直角をなす側面部で、正面部（４０）と、左面部（２０）と、右面部（３０）と、背面部（１０）とを有する側面部（９）と、正面部の上辺から連設された蓋部（１００）とを有し、
左面部の上辺と右面部の上辺は、略円弧状に形成され、
蓋部は、上面カバー部（１１０）と、背面カバー部（１２０）とを有し、
上面カバー部は、正面部の上辺から折れ線を介して連設され、
背面カバー部は、上面カバー部の正面部側とは反対側の辺部から折れ線を介して連設され、背面カバー部の先端には、第１差込み片部（１３０）が設けられ、
背面部の下端には、第１差込み片部を差し込むための第１被差込み部（１８）が設けられ、
第１肩掛けは、第１肩掛けの長手方向の一方の端部である上端に第２差込み片部（２１２）を有するとともに、第１肩掛けの長手方向の他方の端部である下端に第３差込み片部（２１４）を有し、
第２肩掛けは、第２肩掛けの長手方向の一方の端部である上端に第４差込み片部（２２２）を有するとともに、第２肩掛けの長手方向の他方の端部である下端に第５差込み片部（２２４）を有し、
正面部には、第２差込み片部を差し込むための第２被差込み部（４２）と、第３差込み片部を差し込むための第３被差込み部（４６）と、第４差込み片部を差し込むための第４被差込み部（４４）と、第５差込み片部を差し込むための第５被差込み部（４８）とが設けられ、
第２被差込み部と第４被差込み部とは、正面部において左右対称の位置に設けられ、第３被差込み部と第５被差込み部とは、正面部において左右対称の位置に設けられ、第３被差込み部と第５被差込み部は、第２被差込み部と第４被差込み部よりも高さ方向において下側に設けられ、
第１肩掛けの第２差込み片部が第２被差込み部に差し込まれるとともに、第３差込み片部が第３被差込み部に差し込まれて、第１肩掛けが、正面部の正面側に湾曲して突出した状態であり、第２肩掛けの第４差込み片部が第４被差込み部に差し込まれるとともに、第５差込み片部が第５被差込み部に差し込まれて、第２肩掛けが、正面部の正面側に湾曲して突出した状態であり、
第１差込み片部が第１被差込み部に差し込まれた状態では、上面カバー部の内側の面が左面部の上辺と右面部の上辺に接して、上面カバー部が、左面部の上辺と右面部の上辺に沿って湾曲し、背面カバー部が背面部に沿った状態となることを特徴とする包装箱。
【考案の詳細な説明】
【技術分野】
【０００１】
本考案は、包装箱を組み立てる組立てキットと包装箱に関するものである。
【背景技術】
【０００２】
従来より、底部と、正面板と、一対の側面板と、背面板と、背面板から連設された天蓋部とを有し、一対の側面板の上縁が半円形に形成されている紙箱として、特許文献１における第５図、第６図に記載のものが存在する。
【０００３】
この紙箱においては、天蓋部に多数の平行な罫線を入れることにより、天蓋部が、側面板の上縁の形状に合わせて湾曲するようになっている。
【先行技術文献】
【特許文献】
【０００４】
【特許文献１】実公昭６３−５７４号公報
【考案の概要】
【考案が解決しようとする課題】
【０００５】
しかし、特許文献１においては、第５図、第６図に記載の紙箱について一見ランドセル形といえようとしているが、ランドセルには十分似ていないという問題があった。
【０００６】
そこで、本考案は、底部と、正面板と、一対の側面板と、背面板と、背面板から連設された天蓋部とを有し、一対の側面板の上縁が半円形に形成されている包装箱において、ランドセル形状により近似したものを提供することを目的とするものである。
【課題を解決するための手段】
【０００７】
本考案は上記問題点を解決するために創作されたものであって、第１には、包装箱組立てキットであって、包装箱本体（７）と、第１肩掛け（２１０）と、第２肩掛け（２２０）とを有し、包装箱本体と第１肩掛けと第２肩掛けとは、シート状のブランクにより構成され、包装箱本体は、底面部（５０）と、底面部の各辺から立設し底面部に対して略直角をなす側面部で、正面部（４０）と、左面部（２０）と、右面部（３０）と、背面部（１０）とを有する側面部（９）と、正面部の上辺から連設された蓋部（１００）とを有し、左面部の上辺と右面部の上辺は、略円弧状に形成され、蓋部は、上面カバー部（１１０）と、背面カバー部（１２０）とを有し、上面カバー部は、正面部の上辺から折れ線を介して連設され、背面カバー部は、上面カバー部の正面部側とは反対側の辺部から折れ線を介して連設され、背面カバー部の先端には、第１差込み片部（１３０）が設けられ、背面部の下端には、第１差込み片部を差し込むための第１被差込み部（１８）が設けられ、第１肩掛けは、第１肩掛けの長手方向の一方の端部である上端に第２差込み片部（２１２）を有するとともに、第１肩掛けの長手方向の他方の端部である下端に第３差込み片部（２１４）を有し、第２肩掛けは、第２肩掛けの長手方向の一方の端部である上端に第４差込み片部（２２２）を有するとともに、第２肩掛けの長手方向の他方の端部である下端に第５差込み片部（２２４）を有し、正面部には、第２差込み片部を差し込むための第２被差込み部（４２）と、第３差込み片部を差し込むための第３被差込み部（４６）と、第４差込み片部を差し込むための第４被差込み部（４４）と、第５差込み片部を差し込むための第５被差込み部（４８）とが設けられ、第２被差込み部と第４被差込み部とは、正面部において左右対称の位置に設けられ、第３被差込み部と第５被差込み部とは、正面部において左右対称の位置に設けられ、第３被差込み部と第５被差込み部は、第２被差込み部と第４被差込み部よりも高さ方向において下側に設けられ、第１差込み片部が第１被差込み部に差し込まれた状態では、上面カバー部の内側の面が左面部の上辺と右面部の上辺に接して、上面カバー部が、左面部の上辺と右面部の上辺に沿って湾曲し、背面カバー部が背面部に沿った状態となり、第１肩掛けの第２差込み片部を第２被差込み部に差し込むとともに、第３差込み片部を第３被差込み部に差し込んで、第１肩掛けを正面部に取り付けることにより、第１肩掛けが、正面部の正面側に湾曲して突出した状態となり、第２肩掛けの第４差込み片部を第４被差込み部に差し込むとともに、第５差込み片部を第５被差込み部に差し込んで、第２肩掛けを正面部に取り付けることにより、第２肩掛けが、正面部の正面側に湾曲して突出した状態となって包装箱が組み立てられることを特徴とする。
【０００８】
第１の構成の包装箱組立てキットにおいては、包装箱の組立てに際しては、第１肩掛けの第２差込み片部を第２被差込み部に差し込むとともに、第３差込み片部を第３被差込み部に差し込むことにより、第１肩掛けが、正面部の正面側に湾曲して突出した状態となり、第２肩掛けの第４差込み片部を第４被差込み部に差し込むとともに、第５差込み片部を第５被差込み部に差し込むことにより、第２肩掛けが、正面部の正面側に湾曲して突出した状態となり、また、第１差込み片部が背面部の下端に設けられた第１被差込み部に差し込まれる構成となっているので、ランドセル形状により近似した包装箱とすることができる。
【０００９】
また、第１肩掛けと第２肩掛けは、正面部の各被差込み部に差し込んだ状態から取り外すことができ、包装箱本体に対して着脱自在なので、包装箱を持ち運ぶ際に、第１肩掛けと第２肩掛けを包装箱本体から外しておくことにより、第１肩掛けと第２肩掛けが破損するのを防止することができる。
【００１０】
また、第２には、上記第１の構成において、上面カバー部には、上面カバー部を湾曲させるための複数の折れ線が間隔を介して左右方向に形成され、第１肩掛けにおける第２差込み片部と第３差込み片部以外の領域である第１肩掛け本体（２１１）には、第１肩掛け本体を湾曲させるための複数の折れ線が、間隔を介して、第１肩掛けを正面部に取り付けた場合に左右方向となる方向に形成され、第２肩掛けにおける第４差込み片部と第５差込み片部以外の領域である第２肩掛け本体（２２１）には、第２肩掛け本体を湾曲させるための複数の折れ線が、間隔を介して、第２肩掛けを正面部に取り付けた場合に左右方向となる方向に形成されていることを特徴とする。
【００１１】
よって、上面カバー部には複数の折れ線が形成されているので、上面カバー部を左面部の上辺と右面部の上辺に沿って湾曲させやすく、また、第１肩掛けと第２肩掛けには、複数の折れ線が形成されているので、第１肩掛けと第２肩掛けを包装箱本体に取り付けた際に、第１肩掛けと第２肩掛けを湾曲させやすくすることができる。
【００１２】
なお、上記第２の構成において、上面カバー部を湾曲させるための複数の折れ線と、第１肩掛けを湾曲させるための複数の折れ線と、第２肩掛けを湾曲させるための複数の折れ線が、押罫による罫線又は半切れによる罫線により形成されているとしてもよい。
【００１３】
また、第３には、上記第１又は第２の構成において、第１肩掛けと第２肩掛けは、シート状のブランクにより形成された肩掛け用シートに設けられ、肩掛け用シートには、第１肩掛けの周囲に形成された第１切目線（２１０Ｋ）と第２肩掛けの周囲に形成された第２切目線（２２０Ｋ）が形成され、肩掛け用シートは、第１切目線と第２切目線を介して、第１肩掛けと、第２肩掛けと、第１肩掛け及び第２肩掛け以外の領域である残余部（２３０）とに区画されていることを特徴とする。
【００１４】
よって、第１肩掛けと第２肩掛けは、肩掛け用シートにおいて第１切目線と第２切目線の内側に設けられているので、包装箱を組み立てる前の状態において、第１肩掛けと第２肩掛けを保護して第１肩掛けと第２肩掛けが破損するのを防止することができる。
【００１５】
また、第４には、上記第３の構成において、肩掛け用シートの外形が互いに平行な長手辺と互いに平行な短手辺とを有する略長方形状を呈し、第１肩掛けの第２差込み片部と第２肩掛けの第４差込み片部とが一方の短手辺側に設けられ、第１肩掛けの第３差込み片部と第２肩掛けの第５差込み片部とが他方の短手辺側に設けられ、肩掛け用シートには、肩掛け用シートを二つ折りとするための短手辺と平行な折れ線である二つ折り用折れ線（２００−１）が設けられ、一対の長手辺間の長さ（Ｌ１３）は、正面部の高さ方向の長さ及び背面部の高さ方向の長さ以下に形成され、二つ折り用折れ線と一方の短手辺間の長さ（Ｌ１１）と二つ折り用折れ線と他方の短手辺間の長さ（Ｌ１２）は、いずれも、正面部における左右方向の長さよりも短いとともに、背面部における左右方向の長さよりも短く、肩掛け用シートを二つ折り用折れ線を介して二つ折りとし、一対の長手辺のいずれかを下向きにした状態で、肩掛け用シートが包装箱本体内に収納されることを特徴とする。
【００１６】
よって、二つ折りにした肩掛け用シートが平板状に復帰しようとして、包装箱本体内で広がるので、収納された肩掛け用シートが包装箱本体内でがたつくことがない。
【００１７】
また、二つ折り用折れ線と一方の短手辺間の長さ（Ｌ１１）と二つ折り用折れ線と他方の短手辺間の長さ（Ｌ１２）における長い方を背面部や正面部の左右方向の長さよりも若干短い長さに形成することにより（例えば、背面部１０や正面部４０の左右方向の長さの９６〜９９％の長さに形成する）、収納された肩掛け用シートが包装箱本体内でがたつくのを防止することができる。
【００１８】
また、第５には、上記第１から第４までのいずれかの構成において、背面カバー部は、上面カバー部から連設された外背面部（１２２）と、外背面部の上面カバー部とは反対側の辺部から折れ線を介して連設された内背面部（１２４）とを有し、内背面部は、外背面部に対して内側に折り返した状態で外背面部に接着され、第１差込み片部は、外背面部の上面カバー部とは反対側の辺部における内背面部が連設されていない部位から連設されていることを特徴とする。
【００１９】
よって、背面カバー部は、外背面部に内背面部を重ねた、いわゆる二枚重ねの構成となっているので、背面カバー部が容易に撓むことがなく、よって、ランドセルの形状に近づけることができる。
【００２０】
また、第６には、包装箱組立てキットであって、包装箱本体（７）と、肩掛け用シート（２００）とを有し、包装箱本体と肩掛け用シートとは、シート状のブランクにより構成され、包装箱本体は、底面部（５０）と、底面部の各辺から立設し底面部に対して略直角をなす側面部で、正面部（４０）と、左面部（２０）と、右面部（３０）と、背面部（１０）とを有する側面部（９）と、正面部の上辺から連設された蓋部（１００）とを有し、左面部の上辺と右面部の上辺は、略円弧状に形成され、蓋部は、上面カバー部（１１０）と、背面カバー部（１２０）とを有し、上面カバー部は、正面部の上辺から折れ線を介して連設され、上面カバー部には、複数の折れ線が間隔を介して左右方向に形成され、背面カバー部は、上面カバー部の正面部側とは反対側の辺部から折れ線を介して連設された外背面部（１２２）と、外背面部の上面カバー部とは反対側の辺部から折れ線を介して連設された内背面部（１２４）とを有し、内背面部は、外背面部に対して内側に折り返した状態で外背面部に接着され、外背面部の上面カバー部とは反対側の辺部における内背面部が連設されていない部位から第１差込み片部（１３０）が連設され、背面部の下端には、第１差込み片部を差し込むための第１被差込み部（１８）が設けられ、肩掛け用シートは、第１肩掛け（２１０）と、第２肩掛け（２２０）と、第１肩掛け及び第２肩掛け以外の領域である残余部（２３０）とを有し、第１肩掛けと残余部の境界に第１切目線（２１０Ｋ）が形成されるとともに、第２肩掛けと残余部の境界に第２切目線（２２０Ｋ）が形成され、第１肩掛けは、第１肩掛けの長手方向の一方の端部である上端に第２差込み片部（２１２）を有するとともに、第１肩掛けの長手方向の他方の端部である下端に第３差込み片部（２１４）を有し、第１肩掛けにおける第２差込み片部と第３差込み片部以外の領域である第１肩掛け本体（２１１）には、第１肩掛け本体を湾曲させるための複数の折れ線が、間隔を介して、第１肩掛けを正面部に取り付けた場合に左右方向となる方向に形成され、第２肩掛けは、第２肩掛けの長手方向の一方の端部である上端に第４差込み片部（２２２）を有するとともに、第２肩掛けの長手方向の他方の端部である下端に第５差込み片部（２２４）を有し、第２肩掛けにおける第４差込み片部と第５差込み片部以外の領域である第２肩掛け本体（２２１）には、第２肩掛け本体を湾曲させるための複数の折れ線が、間隔を介して、第２肩掛けを正面部に取り付けた場合に左右方向となる方向に形成され、肩掛け用シートの外形が互いに平行な長手辺と互いに平行な短手辺とを有する略長方形状を呈し、第１肩掛けの第２差込み片部と第２肩掛けの第４差込み片部とが一方の短手辺側に設けられ、第１肩掛けの第３差込み片部と第２肩掛けの第５差込み片部とが他方の短手辺側に設けられ、肩掛け用シートには、肩掛け用シートを二つ折りとするための短手辺と平行な折れ線である二つ折り用折れ線（２００−１）が設けられ、一対の長手辺間の長さ（Ｌ１３）は、正面部の高さ方向の長さ及び背面部の高さ方向の長さ以下に形成され、二つ折り用折れ線と一方の短手辺間の長さ（Ｌ１１）と二つ折り用折れ線と他方の短手辺間の長さ（Ｌ１２）は、いずれも、正面部における左右方向の長さよりも短いとともに、背面部における左右方向の長さよりも短く、肩掛け用シートを二つ折り用折れ線を介して二つ折りとし、一対の長手辺のいずれかを下向きにした状態で、肩掛け用シートが包装箱本体内に収納され、正面部には、第２差込み片部を差し込むための第２被差込み部（４２）と、第３差込み片部を差し込むための第３被差込み部（４６）と、第４差込み片部を差し込むための第４被差込み部（４４）と、第５差込み片部を差し込むための第５被差込み部（４８）とが設けられ、第２被差込み部と第４被差込み部とは、正面部において左右対称の位置に設けられ、第３被差込み部と第５被差込み部とは、正面部において左右対称の位置に設けられ、第３被差込み部と第５被差込み部は、第２被差込み部と第４被差込み部よりも高さ方向において下側に設けられ、第１差込み片部が第１被差込み部に差し込まれた状態では、上面カバー部の内側の面が左面部の上辺と右面部の上辺に接して、上面カバー部が、左面部の上辺と右面部の上辺に沿って湾曲し、背面カバー部が背面部に沿った状態となり、第１切目線と第２切目線を破断することにより、第１肩掛けと第２肩掛けと残余部とが分離され、第１肩掛けの第２差込み片部を第２被差込み部に差し込むとともに、第３差込み片部を第３被差込み部に差し込んで、第１肩掛けを正面部に取り付けることにより、第１肩掛けが、正面部の正面側に湾曲して突出した状態となり、第２肩掛けの第４差込み片部を第４被差込み部に差し込むとともに、第５差込み片部を第５被差込み部に差し込んで、第２肩掛けを正面部に取り付けることにより、第２肩掛けが、正面部の正面側に湾曲して突出した状態となって包装箱が組み立てられることを特徴とする。
【００２１】
第６の構成の包装箱組立てキットにおいては、包装箱の組立てに際しては、第１肩掛けの第２差込み片部を第２被差込み部に差し込むとともに、第３差込み片部を第３被差込み部に差し込むことにより、第１肩掛けが、正面部の正面側に湾曲して突出した状態となり、第２肩掛けの第４差込み片部を第４被差込み部に差し込むとともに、第５差込み片部を第５被差込み部に差し込むことにより、第２肩掛けが、正面部の正面側に湾曲して突出した状態となり、また、第１差込み片部が背面部の下端に設けられた第１被差込み部に差し込まれる構成となっているので、ランドセル形状により近似した包装箱とすることができる。
【００２２】
また、第１肩掛けと第２肩掛けは、正面部の各被差込み部に差し込んだ状態から取り外すことができ、包装箱本体に対して着脱自在なので、包装箱を持ち運ぶ際に、第１肩掛けと第２肩掛けを包装箱本体から外しておくことにより、第１肩掛けと第２肩掛けが破損するのを防止することができる。
【００２３】
また、第１肩掛けと第２肩掛けは、肩掛け用シートにおいて第１切目線と第２切目線の内側に設けられているので、包装箱を組み立てる前の状態において、第１肩掛けと第２肩掛けを保護して第１肩掛けと第２肩掛けが破損するのを防止することができる。
【００２４】
また、二つ折りにした肩掛け用シートが平板状に復帰しようとして、包装箱本体内で広がるので、収納された肩掛け用シートが包装箱本体内でがたつくことがない。
【００２５】
また、背面カバー部は、外背面部に内背面部を重ねた、いわゆる二枚重ねの構成となっているので、背面カバー部が容易に撓むことがなく、よって、ランドセルの形状に近づけることができる。
【００２６】
なお、上記第６の構成において、上面カバー部を湾曲させるための複数の折れ線と、第１肩掛けを湾曲させるための複数の折れ線と、第２肩掛けを湾曲させるための複数の折れ線が、押罫による罫線又は半切れによる罫線により形成されているとしてもよい。
【００２７】
また、第７には、上記第１から第６までのいずれかの構成において、底面部は、左面部の下辺から連設された第１片部（６０）と、正面部の下辺から連設された第２片部（７０）と、背面部の下辺から連設された第３片部（８０）と、右面部の下辺から連設された第４片部（９０）とにより形成され、側面部における隣接する各部を互いに直角にすることにより底面部が略方形状の外形を有することを特徴とする。
【００２８】
また、第８には、包装箱であって、包装箱本体（７）と、第１肩掛け（２１０）と、第２肩掛け（２２０）とを有し、包装箱本体と第１肩掛けと第２肩掛けとは、シート状のブランクにより構成され、包装箱本体は、底面部（５０）と、底面部の各辺から立設し底面部に対して略直角をなす側面部で、正面部（４０）と、左面部（２０）と、右面部（３０）と、背面部（１０）とを有する側面部（９）と、正面部の上辺から連設された蓋部（１００）とを有し、左面部の上辺と右面部の上辺は、略円弧状に形成され、蓋部は、上面カバー部（１１０）と、背面カバー部（１２０）とを有し、上面カバー部は、正面部の上辺から折れ線を介して連設され、背面カバー部は、上面カバー部の正面部側とは反対側の辺部から折れ線を介して連設され、背面カバー部の先端には、第１差込み片部（１３０）が設けられ、背面部の下端には、第１差込み片部を差し込むための第１被差込み部（１８）が設けられ、第１肩掛けは、第１肩掛けの長手方向の一方の端部である上端に第２差込み片部（２１２）を有するとともに、第１肩掛けの長手方向の他方の端部である下端に第３差込み片部（２１４）を有し、第２肩掛けは、第２肩掛けの長手方向の一方の端部である上端に第４差込み片部（２２２）を有するとともに、第２肩掛けの長手方向の他方の端部である下端に第５差込み片部（２２４）を有し、正面部には、第２差込み片部を差し込むための第２被差込み部（４２）と、第３差込み片部を差し込むための第３被差込み部（４６）と、第４差込み片部を差し込むための第４被差込み部（４４）と、第５差込み片部を差し込むための第５被差込み部（４８）とが設けられ、第２被差込み部と第４被差込み部とは、正面部において左右対称の位置に設けられ、第３被差込み部と第５被差込み部とは、正面部において左右対称の位置に設けられ、第３被差込み部と第５被差込み部は、第２被差込み部と第４被差込み部よりも高さ方向において下側に設けられ、第１肩掛けの第２差込み片部が第２被差込み部に差し込まれるとともに、第３差込み片部が第３被差込み部に差し込まれて、第１肩掛けが、正面部の正面側に湾曲して突出した状態であり、第２肩掛けの第４差込み片部が第４被差込み部に差し込まれるとともに、第５差込み片部が第５被差込み部に差し込まれて、第２肩掛けが、正面部の正面側に湾曲して突出した状態であり、第１差込み片部が第１被差込み部に差し込まれた状態では、上面カバー部の内側の面が左面部の上辺と右面部の上辺に接して、上面カバー部が、左面部の上辺と右面部の上辺に沿って湾曲し、背面カバー部が背面部に沿った状態となることを特徴とする。
【００２９】
第８の構成の包装箱においては、第１肩掛けの第２差込み片部が第２被差込み部に差し込まれるとともに、第３差込み片部が第３被差込み部に差し込まれて、第１肩掛けが、正面部の正面側に湾曲して突出した状態であり、第２肩掛けの第４差込み片部が第４被差込み部に差し込まれるとともに、第５差込み片部が第５被差込み部に差し込まれて、第２肩掛けが、正面部の正面側に湾曲して突出した状態であり、また、第１差込み片部が背面部の下端に設けられた第１被差込み部に差し込まれる構成となっているので、ランドセル形状により近似した包装箱とすることができる。
【００３０】
また、第１肩掛けと第２肩掛けは、正面部の各被差込み部に差し込んだ状態から取り外すことができ、包装箱本体に対して着脱自在なので、包装箱を持ち運ぶ際に、第１肩掛けと第２肩掛けを包装箱本体から外しておくことにより、第１肩掛けと第２肩掛けが破損するのを防止することができる。
【００３１】
また、第９の構成として、以下の構成としてもよい。すなわち、「上記第８の構成におて、上面カバー部には、上面カバー部を湾曲させるための複数の折れ線が間隔を介して左右方向に形成され、第１肩掛けにおける第２差込み片部と第３差込み片部以外の領域である第１肩掛け本体（２１１）には、第１肩掛け本体を湾曲させるための複数の折れ線が、間隔を介して、第１肩掛けを正面部に取り付けた状態で左右方向に形成され、第２肩掛けにおける第４差込み片部と第５差込み片部以外の領域である第２肩掛け本体（２２１）には、第２肩掛け本体を湾曲させるための複数の折れ線が、間隔を介して、第２肩掛けを正面部に取り付けた状態で左右方向に形成されていることを特徴とする。」としてもよい。
【００３２】
また、第１０の構成として、以下の構成としてもよい。すなわち、「上記第８又は第９の構成において、背面カバー部は、上面カバー部から連設された外背面部（１２２）と、外背面部の上面カバー部とは反対側の辺部から折れ線を介して連設された内背面部（１２４）とを有し、内背面部は、外背面部に対して内側に折り返した状態で外背面部に接着され、第１差込み片部は、外背面部の上面カバー部とは反対側の辺部における内背面部が連設されていない部位から連設されていることを特徴とする。」としてもよい。
【００３３】
また、第１１の構成として、以下の構成としてもよい。すなわち、「上記第８から第１０までのいずれかの構成において、底面部は、左面部の下辺から連設された第１片部（６０）と、正面部の下辺から連設された第２片部（７０）と、背面部の下辺から連設された第３片部（８０）と、右面部の下辺から連設された第４片部（９０）とにより形成され、側面部における隣接する各部を互いに直角にすることにより底面部が略方形状の外形を有することを特徴とする。」としてもよい。
【考案の効果】
【００３４】
本考案に基づく包装箱組立てキットによれば、包装箱の組立てに際しては、第１肩掛けの第２差込み片部を第２被差込み部に差し込むとともに、第３差込み片部を第３被差込み部に差し込むことにより、第１肩掛けが、正面部の正面側に湾曲して突出した状態となり、第２肩掛けの第４差込み片部を第４被差込み部に差し込むとともに、第５差込み片部を第５被差込み部に差し込むことにより、第２肩掛けが、正面部の正面側に湾曲して突出した状態となり、また、第１差込み片部が背面部の下端に設けられた第１被差込み部に差し込まれる構成となっているので、ランドセル形状により近似した包装箱とすることができる。
【００３５】
また、本考案に基づく包装箱によれば、第１肩掛けの第２差込み片部が第２被差込み部に差し込まれるとともに、第３差込み片部が第３被差込み部に差し込まれて、第１肩掛けが、正面部の正面側に湾曲して突出した状態であり、第２肩掛けの第４差込み片部が第４被差込み部に差し込まれるとともに、第５差込み片部が第５被差込み部に差し込まれて、第２肩掛けが、正面部の正面側に湾曲して突出した状態であり、また、第１差込み片部が背面部の下端に設けられた第１被差込み部に差し込まれる構成となっているので、ランドセル形状により近似した包装箱とすることができる。
【図面の簡単な説明】
【００３６】
【図１】包装箱の前方斜視図である。
【図２】包装箱の後方斜視図である。
【図３】包装箱の底面図である。
【図４】包装箱の蓋部を開けた状態の前方斜視図である。
【図５】包装箱本体の展開図である。
【図６】図５の要部拡大図である。
【図７】図５の要部拡大図である。
【図８】肩掛け用シートの展開図である。
【図９】肩掛けを取り付けた状態を示す前方斜視図である。
【図１０】肩掛けを取り付けた状態を示す後方斜視図である。
【図１１】肩掛けを取り付け、蓋部を開けた状態を示す前方斜視図である。
【考案を実施するための形態】
【００３７】
本考案においては、底部と、正面板と、一対の側面板と、背面板と、背面板から連設された天蓋部とを有し、一対の側面板の上縁が半円形に形成されている紙箱において、ランドセル形状により近似したものを提供するという目的を以下のようにして実現した。
【００３８】
本考案に基づく包装箱組立てキット５は、図１〜図８に示すように構成され、包装箱本体７と、肩掛け用シート２００とを有している。
【００３９】
包装箱本体７は、スリーブ状部９と、包装箱本体７の底部を構成する底面部５０と、スリーブ状部９の正面部４０から連設された蓋部１００とを有している。
【００４０】
包装箱本体７は、全体に１枚のシート状のブランク（具体的には、段ボール製（例えば、薄型段ボール製）のブランクであり、厚紙製のブランク等の他の紙製のブランクでもよい）により形成されている。つまり、包装箱本体７は、段ボール材（特に、両面段ボール材）等の紙製の箱体である。段ボールにおける断面略波形形状の中芯の段の方向は、図５における円内に示す方向となっていて、折れ線Ｃ１、Ｃ２、Ｃ３、Ｃ４と平行となっている（なお、段ボールにおける中芯の段の方向はこれには限られない）。
【００４１】
ここで、スリーブ状部（側面部）９は、背面部１０と、背面部１０の左側面側の辺部から折れ線Ｃ１を介して連設された左側面部２０と、左側面部２０における背面部１０とは反対側の辺部から折れ線Ｃ２を介して連設された正面部４０と、正面部４０における左側面部２０とは反対側の辺部から折れ線Ｃ３を介して連設された右側面部３０と、背面部１０の右側面側の辺部から折れ線Ｃ４を介して連設された糊代部４９とを有している。折れ線Ｃ１と折れ線Ｃ２と折れ線Ｃ３と折れ線Ｃ４は互いに平行に形成されている。
【００４２】
背面部１０は、略方形状を呈し、背面部１０の上辺は、左側面側の辺部及び右側面側の辺部と直角をなし、底面部５０側においては、切欠部１２Ｋと切欠部１２Ｋの両側に連設された左右方向に細長帯状の切欠部１５Ｋ、１７Ｋが形成されている。この切欠部１５Ｋ、１７Ｋは、包装箱本体７の展開状態において、切欠部１２Ｋと切欠部８０Ｋからなる開口部から左右に切込み１４Ｋ、１６Ｋを形成することにより形成されたものであり、切込み１４Ｋ、１６Ｋは鉤状を呈し、切込み１４Ｋは、左右方向に直線状に形成された切込み１４Ｋ−１と、切込み１４Ｋ−１の端部から背面部１０と第３片部８０間の折れ線側に屈曲して形成された切込み１４Ｋ−２とから構成され、また、切込み１６Ｋは、左右方向に直線状に形成された切込み１６Ｋ−１と、切込み１６Ｋ−１の端部から背面部１０と第３片部８０間の折れ線側に屈曲して形成された切込み１６Ｋ−２とから構成されている。切欠部１２Ｋは、略台形形状を呈している。この切欠部１５Ｋ、１７Ｋと突状部８２−２により、蓋部１００の差込み片部１３０を差し込む被差込み部（第１被差込み部）１８が形成される。つまり、背面部４０の下端に被差込み部１８が設けられている。
【００４３】
また、左側面部（左面部）２０は、左側面側と右側面側と底面側に直線状の辺部を有するとともに、上辺が円弧状（略円弧状としてもよい）に形成された形状を呈し、方形状の上端に上辺が円弧状の突状部を連設した形状を呈している。つまり、左側面部２０の上辺２０ａは、背面部１０の上辺の左側面側の端部から正面部４０の上辺の左側面側の端部まで形成され円弧状に形成されている。背面部１０の上辺の左側面側の端部は、左側面部２０の背面側の辺部の上端と一致し、背面部１０の上辺の右側面側の端部は、糊代部４９の背面側の辺部の上端と一致している。
【００４４】
また、右側面部（右面部）３０は、左側面側と右側面側と底面側に直線状の辺部を有するとともに、上辺が円弧状（略円弧状としてもよい）に形成された形状を呈し、方形状の上端に上辺が円弧状の突状部を連設した形状を呈している。つまり、右側面部３０の上辺３０ａは、正面部４０の上辺の右側面側の端部から右側面部３０の背面側の辺部の上端まで形成され円弧状に形成されている。正面部４０の上辺の右側面側の端部は、右側面部３０の正面側の辺部の上端と一致している。
【００４５】
また、正面部４０は、方形状を呈し、上端領域と下端領域には、肩掛け２１０、２２０を取り付けるための切込み４２、４４、４６、４８が形成されている。つまり、上端領域に切込み４２、４４が設けられ、下端領域に切込み４６、４８が設けられていて、切込み４６、４８は、高さ方向において、切込み４２、４４よりも下側に設けられている。正面部４０における左右の辺部間の長さ（折れ線Ｃ２と折れ線Ｃ３間の長さ）は、背面部１０における左右の辺部間の長さ（折れ線Ｃ１と折れ線Ｃ４間の長さ）と同一であり、正面部４０における上辺と下辺（第２片部７０との間の折れ線）間の長さは、背面部１０における上辺と下辺（第３辺部８０との間の折れ線）間の長さは同一に形成されている。
【００４６】
切込み（第２被差込み部）４２は、左右方向に形成された直線状の切込み４２ａと、該直線状の切込み４２ａの両側の端部から斜め下方に形成された一対の切込み４２ｂとから形成され、該一対の切込み４２ｂにおける各切込みは、下側に膨出した略円弧状を呈し、下方にいくほど一対の切込み間の距離が短くなるように形成されている。切込み４２は、左右線対称の形状に形成されている。
【００４７】
切込み（第４被差込み部）４４は、切込み４２と同様の構成であり、左右方向に形成された直線状の切込み４４ａと、該直線状の切込み４４ａの両側の端部から斜め下方に形成された一対の切込み４４ｂとから形成され、該一対の切込み４４ｂにおける各切込みは、下側に膨出した略円弧状を呈し、下方にいくほど一対の切込み間の距離が短くなるように形成されている。切込み４２と切込み４４は、正面部４０における左右対称の位置に形成されている。つまり、切込み４２（すなわち、切込み４２の左側面側の端部）から正面部４０の折れ線Ｃ２に沿った辺部までの距離Ｌ１と、切込み４４（すなわち、切込み４４の右側面側の端部）から正面部４０の折れ線Ｃ３に沿った辺部までの距離Ｌ２は同一（略同一としてもよい）に形成されている。
【００４８】
また、切込み（第３被差込み部）４６は、左右方向に形成された直線状の切込み４６ａと、該直線状の切込み４６ａの両側の端部から斜め上方に形成された一対の切込み４６ｂとから形成され、該一対の切込み４６ｂにおける各切込みは、上側に膨出した略円弧状を呈し、上方にいくほど一対の切込み間の距離が短くなるように形成されている。切込み４６は、左右線対称の形状に形成されている。つまり、切込み４６は、切込み４２、４４とは、上下逆方向の形状を呈している。
【００４９】
切込み（第５被差込み部）４８は、切込み４６と同様の構成であり、左右方向に形成された直線状の切込み４８ａと、該直線状の切込み４８ａの両側の端部から斜め上方に形成された一対の切込み４８ｂとから形成され、該一対の切込み４８ｂにおける各切込みは、上側に膨出した略円弧状を呈し、上方にいくほど一対の切込み間の距離が短くなるように形成されている。切込み４６と切込み４８は、正面部４０における左右対称の位置に形成されている。つまり、切込み４６（すなわち、切込み４６の左側面側の端部）から正面部４０の折れ線Ｃ２に沿った辺部までの距離Ｌ３と、切込み４８（すなわち、切込み４８の右側面側の端部）から正面部４０の折れ線Ｃ３に沿った辺部までの距離Ｌ４は同一（略同一としてもよい）に形成されている。
【００５０】
なお、切込み４２、４４は、切込み４６、４８と比べて左右方向において内側に形成されていて、距離Ｌ１、Ｌ２は、距離Ｌ３、Ｌ４よりも長く形成されている。これにより、包装箱本体７に取り付けた肩掛け２１０、２２０が実際のランドセルの肩掛けと近似した構成となる。
【００５１】
切込み４２、４４、４６、４８は、肩掛け２１０、２２０における差込み片部２１２、２１４、２２２、２２４を差し込むための被差込み部として機能する。
【００５２】
また、糊代部４９は、背面部１０の右側面側の辺部から折れ線Ｃ４を介して連設され、略台形形状を呈している。この糊代部４９は、右側面部３０の内側の面における背面側の端部領域に接着されている。
【００５３】
また、底面部５０は、第１片部６０と、第２片部７０と、第３片部８０と、第４片部９０とを有し、包装箱本体７の組立て状態においては、図３に示すように、略方形状の外形を呈している。
【００５４】
ここで、第１片部６０は、左側面部２０の下端から折れ線を介して連設され、先端側にいくほど幅狭となる略台形形状に形成され、その上面の一部が包装箱本体７の内底面の一部を形成している。この第１片部６０は、底面部５０の組立て状態においては、第４片部９０と底面部９０の中心点を介して点対称に形成されている。
【００５５】
また、第２片部７０は、正面部４０の下端から折れ線を介して連設され、略長方形状に形成され、第２片部７０の上面の一部が包装箱本体７の内底面の一部を形成している。また、第２片部７０の角部（右側面部３０と正面部４０の境界位置の角部）からは第２片部７０の正面部４０との境界をなす辺部に対して斜めに折れ線７０−１（この折れ線７０−１は、上面側が山折れ線となっている）が形成され、包装箱本体７を折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。
【００５６】
また、第３片部８０は、右側面部３０の下端から折れ線を介して連設され、底面部５０の組立て状態においては、組立て状態の底面部５０の中心点を介して第２片部７０と点対称に形成されている。すなわち、第３片部８０は、背面部１０の下端から折れ線を介して連設され、略長方形状に形成され、第３片部８０の上面の一部が包装箱本体７の内底面の一部を形成している。また、第３片部８０の角部（左側面部２０と背面部１０の境界位置の角部）からは第３片部８０の背面部１０との境界をなす辺部に対して斜めに折れ線８０−１（この折れ線８０−１は、上面側が山折れ線となっている）が形成され、包装箱本体７を折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。
【００５７】
また、この第３片部８０の背面部１０側の辺部には、切込みＫ１４、Ｋ１６により突状部８２−１、８２−２が形成され、この突状部８２−１と突状部８２−２の間の位置には、略半円状の切欠部８０Ｋが形成され、この切欠部８０Ｋは、切欠部１２Ｋから連設されている。この切欠部８０Ｋが設けられていることにより、差込み片部１３０が被差込み部１８に差し込まれた状態で、差込み片部１３０を被差込み部１８から引き出すのを容易としている。
【００５８】
また、第４片部９０は、右側面部３０の下端から折れ線を介して連設され、先端側にいくほど幅狭となる略台形形状に形成され、その上面の一部が包装箱本体７の内底面の一部を形成している。
【００５９】
また、蓋部１００は、正面部４０の上辺から折れ線１１０−１を介して連設された上面カバー部１１０と、上面カバー部１１０の正面部４０とは反対側から連設された背面カバー部１２０とを有している。
【００６０】
上面カバー部１１０は、展開状態において、略方形状を呈し、方形状における正面部４０側の両側の角部斜めに面取りされた形状を呈している。つまり、上面カバー部１１０は、正面部４０の左側面側で上側の角部から連設された辺部１１０ａ（つまり、面取りされた辺部）と、正面部４０の右側面側で上側の角部から連設された辺部１１０ｂ（つまり、面取りされた辺部）と、辺部１１０ａから連設された辺部１１０ｃと、辺部１１０ｂから連設された辺部１１０ｄと、背面カバー部１２０との境界をなす辺部１１０ｅとを有し、辺部１１０ａと辺部１１０ｂは、正面部４０からはなれるに従い辺部１１０ａと辺部１１０ｂ間の距離が長くなるようにテーパ状に形成され、上面カバー部１１０の展開状態において、辺部１１０ａと辺部１１０ｂは左右対称に形成されている。また、辺部１１０ｃと辺部１１０ｄは、互いに平行に形成され、上面カバー部１１０の展開状態において、辺部１１０ｅは、辺部１１０ｃ、１１０ｄと直角となっている。
【００６１】
なお、辺部１１０ａは、左側面部２０の上辺と切込みを介して隣接しているので、厳密には円弧状を呈しており、同様に、辺部１１０ｂは、右側面部３０の上辺と切込みを介して隣接しているので、厳密には円弧状を呈している。
【００６２】
また、上面カバー部１１０には、複数の折れ線が間隔を介して左右方向に形成されている。すなわち、折れ線１１０−２〜１１０−１１が互いに平行に形成されている。折れ線１１０−１１は、辺部１１０ｅに沿って形成されている。折れ線１１０−１〜１１０−１１においては、隣接する２つの折れ線間の長さは同一（略同一としてもよい）に形成されている。折れ線１１０−２〜１１０−１０は、上面カバー部１１０を湾曲させるための折れ線であるといえる。
【００６３】
なお、折れ線１１０−１〜１１０−１１は、押罫による罫線又は半切れによる罫線により形成され、各罫線は、上面カバー部１１０がスリーブ状部９の上端をカバーした状態で上面カバー部１１０の内側となる面に形成されている。半切れによる罫線は、一対のライナーと中芯とからなる段ボールにおいて、内側のライナーのみに切込みを形成することにより形成される。
【００６４】
以上のように、上面カバー部１１０においては、複数の折れ線が設けられているので、スリーブ状部９の上端をカバーした状態で、左側面部２０の上辺２０ａ及び右側面部３０の上辺３０ａに沿って上面カバー部１１０を湾曲させることができ、差込み片部１３０が被差込み部１８に差し込まれた状態では、上面カバー部１１０の内側の面が左側面部２０の上辺２０ａと右側面部３０の上辺３０ａに接して、該上辺２０ａ、３０ａに沿って湾曲する。また、辺部１１０ｃと辺部１１０ｄ間の長さは、正面部４０の右側面側の辺部と左側面側の辺部間の長さよりも長く形成されているので、上面カバー部１１０によりスリーブ状部９の上端をカバーした状態で、上面カバー部１１０の辺部１１０ｃが左側面部２０の内側に落ち込むことがなく、上面カバー部１１０の辺部１０ｄが右側面部３０の内側に落ち込むことがなく、スリーブ状部９の上端を確実にカバーすることができる。
【００６５】
また、背面カバー部１２０は、上面カバー部１１０から折れ線１１０ｅを介して連設され、上面カバー部１１０から連設された外背面部１２２と、外背面部１２２の上面カバー部１１０とは反対側の辺部から折れ線を介して連設された内背面部１２４と、外背面部１２２の上面カバー部１１０とは反対側の辺部において内背面部１２４が連設されていない部位から折れ線を介して連設された差込み片部１３０とを有している。
【００６６】
外背面部１２２は、略方形状を呈し、方形状において上面カバー部１１０とは反対側の両側の角部が略円弧状に面取りされた形状を呈し、外背面部１２２の先端（上面カバー部１１０とは反対側の端部）には、差込み片部１３０が被差込み部１８に差し込まれた状態で、指をひっかけるための突状部１２２−１が形成されている。この突状部１２２−１は、外背面部１２２と内背面部１２４の展開状態において、外背面部１２２と内背面部１２４の境界位置において略コ字状の切込みを形成することにより形成されている。
【００６７】
また、内背面部１２４は、外背面部１２２に対して折り返した状態で外背面部１２２に接着され、内背面部１２４は、外背面部１２２に対して内側に折り返されている。外背面部１２２と内背面部１２４の接着は、例えば、図５、図７の内背面部１２４のハッチングに示す領域に接着剤を塗布することにより行なう。なお、内背面部１２４の面取りされた辺部１２４ａ、１２４ｂ及び面取りされた辺部１２４ａ、１２４ｂから連設された直線状の辺部１２４ｃ、１２４ｄは、外背面部１２２の面取りされた辺部１２２ａ、１２２ｂ及び面取りされた辺部１２２ａ、１２２ｂから連設された直線状の辺部１２２ｃ、１２２ｄと略一致しているが、辺部１２４ａ〜１２４ｄは、辺部１２２ａ〜１２２ｄのやや内側に沿って形成されている。また、内背面部１２４の外背面部１２２とは反対側の辺部１２４ｅは、折れ線１１０ｅよりもやや内側に沿って形成されている。
【００６８】
背面カバー部１２０は、外背面部１２２に内背面部１２４を重ねた、いわゆる二枚重ねの構成となっているので、背面カバー部１２０が容易に撓むことがなく、よって、実際のランドセルの形状に近づけることができる。この背面カバー部１２０は、差込み片部１３０が被差込み部１８に差し込まれた状態では、背面部１０に沿った状態となる。
【００６９】
また、差込み片部（第１差込み片部）１３０は略台形形状を呈し、台形形状における先端側の両側の角部が略円弧状に面取りされている。差込み片部１３０の左右方向の長さ（最大長さ）は、背面部１０の被差込み部１８に差し込むことができる長さに形成されている。つまり、差込み片部１３０の左右方向の長さは、切欠部１５Ｋの右側面側の端部から切欠部１７Ｋの左側面側の端部までの長さ以下の長さに形成されている。
【００７０】
差込み片部１３０は、切目線１２４Ｋ１、１２４Ｋ２を介して内背面部１２４と連設されていて、差込み片部１２４を被差込み部１８に差し込む際に、該切目線１２４Ｋ１、１２４Ｋ２を破断して、差込み片部１３０を回動可能な状態とする。このように、差込み片部１３０を切目線１２４Ｋ１、１２４Ｋ２を介して内背面部１２４と連設した構成としておくことにより、包装箱組立てキット５を組み立てる前の状態（例えば、包装箱本体７を折り畳んだ状態）で、差込み片部１３０を保護して差込み片部１３０の破れ等の破損を防止することができる。なお、切目線１２４Ｋ１、１２４Ｋ２を破断する際に、差込み片部１３０に指を係止しやすくするために、内背面部１２４には、差込み片部１３０の先端側の辺部に隣接して略半円状の切欠部１２４Ｋ３が設けられている。
【００７１】
包装箱本体７を組み立てた状態では、背面部１０と正面部４０とは互いに平行となり、左側面部２０と右側面部３０とは互いに平行となる。
【００７２】
また、肩掛け用シート２００は、略方形状のシート状部材であり、肩掛け用シート２００には、切目線により肩掛け２１０、２２０が設けられている。つまり、肩掛け２１０の周囲に設けられた切目線（第１切目線）２１０Ｋを破断することにより、肩掛け用シート２００から肩掛け２１０を取り出すことができ、肩掛け２２０の周囲に設けられた切目線（第２切目線）２２０Ｋを破断することにより、肩掛け用シート２００から肩掛け２２０を取り出すことができる。つまり、肩掛け用シート２００は、肩掛け２１０、２２０と残余部２３０とから構成され、肩掛け用シート２００は、切目線２１０Ｋと切目線２２０Ｋを介して、肩掛け２１０と、肩掛け２２０と、残余部２３０とに区画されている。この残余部２３０は、肩掛け用シート２００から肩掛け２１０、２２０を取り出した後の状態のものである。肩掛け２１０は、包装箱本体７の正面視において、左側に取り付けられ、肩掛け２２０は、包装箱本体７の正面視において、右側に取り付けられる。肩掛け２１０、２２０は、実際のランドセルにおいて、肩ベルトとバックルベルトからなる肩掛けを表現したものである。
【００７３】
肩掛け用シート２００は、全体に１枚のシート状のブランク（具体的には、段ボール製（例えば、薄型段ボール製）のブランクであり、厚紙製のブランク等の他の紙製のブランクでもよい）により形成されている。つまり、肩掛け用シート２００は、段ボール材（特に、両面段ボール材）等の紙製のシートである。段ボールにおける断面略波形形状の中芯の段の方向は、図８における円内に示す方向となっていて、肩掛け用シート２００の左辺２００ｃ及び右辺２００ｄと平行となっている（なお、段ボールにおける中芯の段の方向はこれには限られない）。
【００７４】
ここで、肩掛け（第１肩掛け）２１０は、肩掛け本体２１１と、肩掛け本体２１１の長手方向の一方の端部である上端から折れ線２１０−１を介して連設された差込み片部（第２差込み片部）２１２と、肩掛け本体２１１の下端（上端とは反対側の端部）（長手方向の他方の端部）から折れ線２１０−１２を介して連設された差込み片部（第３差込み片部）２１４とを有し、肩掛け２１０の展開状態においては、肩掛け本体２１１は、帯状（略帯状、ベルト状、略ベルト状としてもよい）を呈し、肩掛け本体２１１の上端部分が上端部分よりも下側の部分に対して若干屈曲した（包装箱本体７における内側に向けて屈曲した）形状を呈している。差込み片部２１２は、肩掛け用シート２００の辺部２００ａ（一方の短手辺）側に設けられ、差込み片部２１４は、辺部２００ｂ（他方の短手辺）側に設けられている。
【００７５】
この肩掛け本体２１１の長さ（例えば、肩掛け本体２１１の上端の辺部（特に、該辺部の左右方向における中央位置）と肩掛け本体２１１の下端の辺部（特に、該辺部の左右方向における中央位置）との間の長さ（直線長さ））は、切込み４２と切込み４６間の長さ（切込み４２における左右方向の切込み４２ａ（特に、該切込み４２ａの左右方向の中央位置）と切込み４６における左右方向の切込み４６ａ（特に、該切込み４６ａの左右方向の中央位置）間の長さ（直線長さ））よりも長く形成されている。
【００７６】
また、肩掛け本体２１１には、複数の折れ線２１０−２〜２１０−１１が間隔を介して形成され、折れ線２１０−１〜２１０−１２は左右方向に互いに平行に形成されている。つまり、折れ線２１０−１〜２１０−１２は、肩掛け２１０を正面部４０に取り付けた場合に左右方向となる方向に形成されている。折れ線２１０−１〜２１０−１２における折れ線２１０−１〜２１０−７は、肩掛け２１０の上側の領域に設けられ、折れ線２１０−１〜２１０−７における互いに隣接する折れ線間の間隔は略同一（同一としてもよい）に形成されている。この折れ線２１０−１〜２１０−７が設けられていることにより、肩掛け２１０を包装箱本体７に取り付けた際に、肩掛け２１０の上側の領域を湾曲しやすくでき、実際のランドセルの肩掛けと似た外観を得ることができる。また、折れ線２１０−１〜２１０−１２における折れ線２１０−８〜２１０−１２は、肩掛け２１０の下側の領域に設けられ、この折れ線２１０−８〜２１０−１２が設けられていることにより、肩掛け２１０を包装箱本体７に取り付けた際に、肩掛け２１０の下側の領域を湾曲しやすくでき、実際のランドセルの肩掛けと似た外観を得ることができる。つまり、特に、折れ線２１０−２〜２１０−１１は、肩掛け２１０を湾曲させるための折れ線であるといえる。なお、折れ線２１０−７と折れ線２１０−８間の間隔は、折れ線２１０−１〜２１０−１２における互いに隣接する他の折れ線間の間隔よりも長く形成され、該他の折れ線間の間隔の４倍以上の長さとなっている。なお、折れ線２１０−９と折れ線２１０−１０間の領域は、上側及び下側に隣接する領域よりも左右方向に突出して形成され、実際のランドセルにおけるバックルを表現している。
【００７７】
この肩掛け２１０においては、折れ線２１０−１〜２１０−１２に沿って押罫による罫線又は半切れによる罫線が形成され、各罫線は、肩掛け２１０を包装箱本体７に取り付けた際に内側となる面に形成されている。
【００７８】
また、差込み片部２１２は、折れ線２１０−１から離れるに従い左右方向の幅が短くなる略台形形状（つまり、上向きに先細りになる略台形形状）を呈し、差込み片部２１４は、折れ線２１０−１２から離れるに従い左右方向の幅が短くなる略台形形状（つまり、下向きに先細りになる略台形形状）を呈している。差込み片部２１２の左右方向の長さは、切込み４２に差込み可能な長さに形成され、差込み片部２１２の左右方向の幅（最大幅）は、切込み４２における左右方向に形成された直線状の切込み４２ａの長さ以下の長さに形成されている。また、差込み片部２１４の左右方向の長さは、切込み４６に差込み可能な長さに形成され、差込み片部２１４の左右方向の幅（最大幅）は、切込み４６における左右方向に形成された直線状の切込み４６ａの長さ以下の長さに形成されている。
【００７９】
また、肩掛け（第２肩掛け）２２０は、肩掛け本体２２１と、肩掛け本体２２１の長手方向の一方の端部である上端から折れ線２２０−１を介して連設された差込み片部（第４差込み片部）２２２と、肩掛け本体２２１の下端（上端とは反対側の端部）（長手方向の他方の端部）から折れ線２２０−１２を介して連設された差込み片部（第５差込み片部）２２４とを有し、肩掛け本体２２１は、肩掛け２２０の展開状態においては、帯状（略帯状、ベルト状、略ベルト状としてもよい）を呈し、肩掛け本体２２１の上端部分が上端部分よりも下側の部分に対して若干屈曲した（包装箱本体７における内側に向けて屈曲した）形状を呈している。肩掛け２２０は、肩掛け２１０と左右対称に形成されている。差込み片部２２２は、肩掛け用シート２００の辺部２００ａ（一方の短手辺）側に設けられ、差込み片部２２４は、辺部２００ｂ（他方の短手辺）側に設けられている。
【００８０】
この肩掛け本体２２１の長さ（例えば、肩掛け本体２２１の上端の辺部（特に、該辺部の左右方向における中央位置）と肩掛け本体２２１の下端の辺部（特に、該辺部の左右方向における中央位置）との間の長さ（直線長さ））は、切込み４４と切込み４８間の長さ（切込み４４における左右方向の切込み４４ａ（特に、該切込み４４ａの左右方向の中央位置）と切込み４８における左右方向の切込み４８ａ（特に、該切込み４８ａの左右方向の中央位置）間の長さ（直線長さ））よりも長く形成されている。
【００８１】
また、肩掛け本体２２１には、複数の折れ線２２０−２〜２２０−１１が間隔を介して形成され、折れ線２２０−１〜２２０−１２は左右方向に互いに平行に形成されている。つまり、折れ線２２０−１〜２２０−１２は、肩掛け２２０を正面部４０に取り付けた場合に左右方向となる方向に形成されている。折れ線２２０−１〜２２０−１２における折れ線２２０−１〜２２０−７は、肩掛け２２０の上側の領域に設けられ、折れ線２２０−１〜２２０−７における互いに隣接する折れ線間の間隔は略同一（同一としてもよい）に形成されている。この折れ線２２０−１〜２２０−７が設けられていることにより、肩掛け２２０を包装箱本体７に取り付けた際に、肩掛け２２０の上側の領域を湾曲しやすくでき、実際のランドセルの肩掛けと似た外観を得ることができる。また、折れ線２２０−１〜２２０−１２における折れ線２２０−８〜２２０−１２は、肩掛け２２０の下側の領域に設けられ、この折れ線２２０−８〜２２０−１２が設けられていることにより、肩掛け２２０を包装箱本体７に取り付けた際に、肩掛け２２０の下側の領域を湾曲しやすくでき、実際のランドセルの肩掛けと似た外観を得ることができる。つまり、特に、折れ線２２０−２〜２２０−１１は、肩掛け２２０を湾曲させるための折れ線であるといえる。なお、折れ線２２０−７と折れ線２２０−８間の間隔は、折れ線２２０−１〜２２０−１２における互いに隣接する他の折れ線間の間隔よりも長く形成され、該他の折れ線間の間隔の４倍以上の長さとなっている。なお、折れ線２２０−９と折れ線２２０−１０間の領域は、上側及び下側に隣接する領域よりも左右方向に突出して形成され、実際のランドセルにおけるバックルを表現している。
【００８２】
この肩掛け２２０においては、折れ線２２０−１〜２２０−１２に沿って押罫による罫線又は半切れによる罫線が形成され、各罫線は、肩掛け２２０を包装箱本体７に取り付けた際に内側となる面に形成されている。
【００８３】
また、差込み片部２２２は、折れ線２２０−１から離れるに従い左右方向の幅が短くなる略台形形状（つまり、上向きに先細りになる略台形形状）を呈し、差込み片部２２４は、折れ線２２０−１２から離れるに従い左右方向の幅が短くなる略台形形状（つまり、下向きに先細りになる略台形形状）を呈している。差込み片部２２２の左右方向の長さは、切込み４４に差込み可能な長さに形成され、差込み片部２２２の左右方向の幅（最大幅）は、切込み４４における左右方向に形成された直線状の切込み４４ａの長さ以下の長さに形成されている。また、差込み片部２２４の左右方向の長さは、切込み４８に差込み可能な長さに形成され、差込み片部２２４の左右方向の幅（最大幅）は、切込み４８における左右方向に形成された直線状の切込み４８ａの長さ以下の長さに形成されている。
【００８４】
なお、肩掛け用シート２００は、全体に略方形状を呈し、上辺２００ａと下辺２００ｂは互いに平行に形成され、左辺２００ｃと右辺２００ｄは互いに平行に形成され、左辺２００ｃ及び右辺２００ｄの方向は、上辺２００ａ及び下辺２００ｂの方向と直角となっている。左辺２００ｃと右辺２００ｄは長手辺であり、上辺２００ａと下辺２００ｂは短手辺となる。折れ線２００−１を介して二つ折りにできるようになっている。この折れ線２００−１は、肩掛け用シート２００の上辺２００ａ及び下辺２００ｂと平行に形成されている。肩掛け用シート２００の左辺２００ｃにおける折れ線２００−１の箇所には、略三角形状の切欠部２００ｃＫが形成され、肩掛け用シート２００の右辺２００ｄにおける折れ線２００−１の箇所には、略三角形状の切欠部２００ｄＫが形成されている。
【００８５】
辺部２００ａと折れ線２００−１間の長さＬ１１は、辺部２００ｂと折れ線２００−１間の長さＬ１２よりも短く形成され、長さＬ１２は、背面部１０の左右方向の長さ（折れ線Ｃ１と折れ線Ｃ４間の長さ）や正面部４０の左右方向の長さ（折れ線Ｃ２と折れ線Ｃ３間の長さ）よりも若干短い長さに形成され（背面部１０の左右方向の長さと正面部４０の左右方向の長さは同一に形成されている）、長さＬ１２は、背面部１０や正面部４０の左右方向の長さの９６〜９９％の長さに形成されている。また、辺部２００ｃと辺部２００ｄ間の長さ（つまり、肩掛け用シート２００の左右方向の長さ（最大長さ））Ｌ１３は、背面部１０の上下方向の長さ（背面部１０の上辺と下辺（第３片部８０との折れ線）間の長さ）や正面部４０の上下方向の長さ（正面部４０の上辺と下辺（第２片部７０との折れ線）間の長さ）よりも短く形成されている。
【００８６】
これにより、肩掛け用シート２００を二つ折りにして辺部２００ｃ又は辺部２００ｄを下向きにして組立て状態の包装箱本体７内に収納することにより、肩掛け用シート２００を包装箱本体７内に収納することができ、特に、長さＬ１２は、背面部１０や正面部４０の左右方向の長さよりも若干短い長さに形成されているので、収納された肩掛け用シート２００が包装箱本体７内でがたつくことがない。なお、包装箱本体７を折り畳んだ状態でも、肩掛け用シート２００を収納することができる。
【００８７】
また、長さＬ１２が背面部１０や正面部４０の左右方向の長さよりも若干短い長さに形成されておらず、長さＬ１２と背面部１０や正面部４０の左右方向の長さとの差が大きい場合でも、肩掛け用シート２００を二つ折りとすることにより、肩掛け用シート２００が平板状に復帰しようとして、包装箱本体７内で広がるので、収納された肩掛け用シート２００が包装箱本体７内でがたつくことがない。
【００８８】
また、肩掛け２１０、２２０は、正面部４０の各切込みに差し込んだ状態から取り外すことができ、包装箱本体７に対して着脱自在なので、包装箱５’を持ち運ぶ際に、肩掛け２１０、２２０を包装箱本体７から外しておくことにより、肩掛け２１０、２２０の破れ等の破損を防止することができる。
【００８９】
また、肩掛け２１０、２２０は、肩掛け用シート２００において切目線２１０Ｋ、２２０Ｋの内側に設けられているので、包装箱組立てキット５を組み立てる前の状態（つまり、肩掛け２１０、２２０を正面部４０の各切込みに差し込む前の状態）において、肩掛け２１０、２２０を保護して肩掛け２１０、２２０の破れ等の破損を防止することができる。
【００９０】
上記構成の包装箱組立てキット５の使用方法について説明する。図１〜図４に示すように、肩掛け用シート２００が包装箱本体７内に収納されている状態では、肩掛け２１０、２２０が包装箱本体７に取り付けられた状態ではないため、保管や運搬に適している。特に、スリーブ状部９を折り畳んで包装箱本体７を折り畳んだ状態で、肩掛け用シート２００が包装箱本体７に収納されている場合には、包装箱本体７と肩掛け用シート２００からなる包装箱組立てキット５が全体に扁平状となるので、保管や運搬に適している。
【００９１】
なお、包装箱本体７を折り畳んだ状態では、底面部５０がスリーブ状部９内に収納される関係から、肩掛け用シート２００を包装箱本体７に収納しにくい場合には、スリーブ状部９を折り畳んだ状態の包装箱本体７に肩掛け用シート２００を収納せずに、袋体に折り畳んだ状態の包装箱本体７と肩掛け用シート２００を収納しておくようにしてもよい。
【００９２】
次に、包装箱組立てキット５をランドセル形状に組み立てる場合には、蓋部１００を開けて肩掛け用シート２００を包装箱本体７から取り出し、切目線２１０Ｋと切目線２２０Ｋを破断することにより、肩掛け２１０と肩掛け２２０と残余部２３０とが分離されるので、肩掛け２１０と肩掛け２２０を取り出す。
【００９３】
そして、肩掛け２１０について、差込み片部２１２を切込み４２に差し込むとともに、差込み片部２１４を切込み４６に差し込むことにより、肩掛け２１０が包装箱本体７に取り付けられ、肩掛け２２０について、差込み片部２２２を切込み４４に差し込むとともに、差込み片部２２４を切込み４８に差し込むことにより、肩掛け２２０が包装箱本体７に取り付けられて、図９、図１０に示す状態の包装箱５’となる。つまり、包装箱組立てキット５を組み立てることにより、包装箱５’が組み立てられ、包装箱５’においては、肩掛け２１０が、正面部４０の正面側に湾曲して突出した状態となり、肩掛け２２０が、正面部４０の正面側に湾曲して突出した状態となる。包装箱５’は、包装箱本体７と肩掛け２１０、２２０とから構成される。なお、肩掛け２１０を取り付ける際には、切込み４２、４６の位置に合わせて、差込み片部２１２が差込み片部２１４よりも内側となる状態で取り付け、肩掛け２２０を取り付ける際には、切込み４４、４８の位置に合わせて、差込み片部２２２が差込み片部２２４よりも内側となる状態で取り付ける。また、包装箱５’において、蓋部１００を開けた状態は、図１１に示すようになる。
【００９４】
以上のようにして、図９〜図１１に示すような包装箱本体７と肩掛け２１０、２２０とを有する包装箱５’を得ることができ、包装箱５’においては、肩掛け２１０、２２０が設けられ、さらに、蓋部１００が閉じた状態では、背面カバー部１２０の下端が背面部１０の下端にまで設けられ、差込み片部１３０が背面部１０の下端に設けられた被差込み部１８に差し込まれる構成となっているので、特許文献１の第５図、第６図に示される紙箱と比べて、ランドセル形状により近似した包装箱とすることができる。
【００９５】
なお、実際の使用態様としては、例えば、図４のように肩掛け用シート２００を二つ折りとして包装箱本体７に収納した状態で、包装箱本体７内に贈り物（例えば、お菓子）を入れて蓋部１００を閉じて、贈り主が贈り先に贈り、贈り先においては、蓋部１００を開けて、収納された贈り物を取り出すとともに、肩掛け用シート２００を取り出して、切目線２１０Ｋ、２２０Ｋを破断して得た肩掛け２１０、２２０を包装箱本体７に取り付けて、図９〜図１１に示すランドセル形状の包装箱５’を構成し、お礼の手紙を包装箱本体７に入れて、贈り主に渡すようにしてもよい。
【００９６】
なお、肩掛け２１０、２２０は、肩掛け用シート２００に設けられ、切目線２１０Ｋ、２２０Ｋを破断することにより肩掛け２１０、２２０を取り出すことができるとしたが、残余部２３０を省略して、肩掛け２１０と肩掛け２２０のみの構成としてもよい。その場合には、肩掛け２１０と肩掛け２２０を包装箱本体７の中に収納しておくことになる。
【符号の説明】
【００９７】
５  包装箱
７  包装箱本体
９  スリーブ状部
１０  背面部
１２Ｋ、１５Ｋ、１７Ｋ、８０Ｋ  切欠部
１８  被差込み部
２０  左側面部
３０  右側面部
４０  正面部
４２、４４、４６、４８  切込み
４９  糊代部
５０  底面部
６０  第１片部
７０  第２片部
８０  第３片部
９０  第４片部
１００  蓋部
１１０−１〜１１０−１１、２１０−１〜２１０−１２、２２０−１〜２２０−１２、２００−１  折れ線
１２０  背面カバー部
１２２  外背面部
１２４  内背面部
１３０、２１２、２１４、２２２、２２４  差込み片部
２００  肩掛け用シート
２１０、２２０  肩掛け
２１０Ｋ、２２０Ｋ  切目線
２１１、２２１  肩掛け本体
【図１】
0003205724.tif 000003
【図２】
0003205724.tif 000004
【図３】
0003205724.tif 000005
【図４】
0003205724.tif 000006
【図５】
0003205724.tif 000007
【図６】
0003205724.tif 000008
【図７】
0003205724.tif 000009
【図８】
0003205724.tif 000010
【図９】
0003205724.tif 000011
【図１０】
0003205724.tif 000012
【図１１】
0003205724.tif 000013